(57)【要約】【課題】梱包されたロール巻シート材を、その梱包容器から取出す際に所要幅に切断しながら取出すことができる機能を付加できるロール巻シート材の梱包容器を提供する。【解決手段】ロール巻きされたシート３０を梱包する容器１であって、収容された前記シートの巻軸線に平行する容器の両側板２，２′上端に連接して端部を内側に折り曲げてなるシート押え部片７，７′を備える内蓋６，６′をそれぞれ有し、前記両内蓋６，６′による閉じ合わせ部でシート材の引き出し口１２が形成され、蓋を閉じた状態で、その上蓋８，８′または側板２，２′の上部のいずれかから収容されたロール巻シート材３０からシート材３１を取出す時に切断するカッター１５の差込み部１１を所要の寸法で複数平行して設ける。【選択図】図３
2005329971.tif 000002
【特許請求の範囲】
【請求項１】
ロール巻きされたシート材を梱包する容器であって、収容された前記シート材の巻軸線に平行する容器の両側板上端に連接して端部を内側に折り曲げてなるシート押えを備える内蓋をそれぞれ有し、前記両内蓋による閉じ合わせ部でシート材の引出し口が形成され、蓋を閉じた状態で、その上蓋および／または側板の上部のいずれかから収容されたロール巻きされたシート材を取出す時に、切断するカッター差込み位置を所要の寸法で複数平行して設けることを特徴とするロール巻シート材の梱包容器。
【請求項２】
前記容器は、ロール巻シート材の軸線方向の移動を阻止される状態で収容するように設定されて、その移動阻止面がシート切断時の基準となるようにされる構成である請求項１に記載のロール巻シート材の梱包容器。
【請求項３】
前記カッター差込み位置は、収容されるロール巻シート材の支持基準位置からそのシート材の軸方向に沿って、少なくともその一方へ所要寸法で複数位置に設けられる請求項１に記載のロール巻シート材の梱包容器。
【請求項４】
前記カッター差込み位置には、表面に切断幅を明示する表示が施されている請求項１または３に記載のロール巻シート材の梱包容器。
【請求項５】
前記容器における上蓋は、前記内蓋が連接する側板以外の側板に基部を連接されて、二つに分かれた内蓋を覆って先端をその内蓋に係合して係止される差込み係止片を端部に備え、ロール巻シート材を引き出す際にその上側を覆って前記シート材の浮き上がりを阻止する状態を保ち得るようにされ、併せて上面所要のカッター差込み位置からカッターを、内蓋を通じて差込むことにより、引き出すシート材を所要幅寸法に切断できるように構成されている請求項１〜４のいずれかに記載のロール巻シート材の梱包容器。
【請求項６】
前記内蓋および／またはロール巻シート材の押え部片に、前記上蓋および／または側板の上部に設けられるカッター差込み位置に対応させて、カッターの受入れを容易にする孔部とこれに連なりカッターの先端部を保持する切込みを備えるカッター差込み孔が設けられている請求項１，３〜５のいずれかに記載のロール巻シート材の梱包容器。
【請求項７】
前記容器の対向する二側板には、その底板との連接位置から上側へ所要寸法で断続切目を付して、開梱後に前記切目に沿って切開くと固定脚部なる部位が設けられる構造である請求項１に記載のロール巻シート材の梱包容器。
【発明の詳細な説明】
【技術分野】
【０００１】
本発明は、ロール巻きされたシート材の梱包容器に係るものであって、その被包装シート材を使用する際に、容器をそのまま利用してシート材を所望幅に切断しながら取出すことができる機能を付加できるロール巻シート材の梱包容器に関するものである。
【背景技術】
【０００２】
一般に、内装材のようなシート材は、主にロール巻きされてダンボール製の梱包容器に収容して出荷されている。ところで、内装材については、その意匠性向上のニーズが高まり、一方では廉価な素材が求められている。このような事情で、双方の条件を備えた内装材として、例えば木目調の壁紙を使用することにより、木の風合いを出した内装を施すことがしばしば行われている。このようなことから、表面に印刷などにより木目の意匠を付されて、裏面に接着層を形成されて使用時まで保護する剥離紙を備えた壁紙が用いられている。このような内装材を窓枠部やドアの枠部分に使用するには、幅２００ｍｍ前後の前記シートを用いて施工されることが多い。
【０００３】
通常、内装工事に際して内装材を使用するには、現場において対象物の寸法に合わせてシートを切断し、貼り付けることになり、とりわけ窓枠やドアの枠部分などに前記内装材を用いるには、狭い幅で安定的にシートを切断する必要がある。このような作業は所望の幅にものさしをあてがって切断しなければならず、安定的な作業を行うには熟練を要する。また、前記窓枠やドアの枠部分などに使用される場合には、その所望幅がモジュールで６０ｍｍ，９０ｍｍというように設定されているにもかかわらず、前記したように現場で寸法切りされている。
【０００４】
一方、シートを梱包箱（包装容器）から取出す際に、使用寸法に応じて切断できる機能を備えた包装容器としては、例えば特許文献１あるいは特許文献２によって知られるものがある。
【０００５】
【特許文献１】特開平９−２９５６３７号公報
【特許文献２】特開平６−１７９４５１号公報
【発明の開示】
【発明が解決しようとする課題】
【０００６】
前述のように、内装材のシートを所要寸法の狭い幅にものさしをあてがって安定的に切断するには、かなりの熟練度が要求され、かつ現場での作業であるから準備などに手数を要して煩雑な作業である。また、前記特許文献１，２などによって知られる切断機能を備える包装容器では、特許文献１によるものがロール巻シート材（ラップフイルム）を引き出して所要の長さ寸法に横断する構造になっており、ロール巻シート材をその長手方向に所望寸法で切断する機能については認められない。また、特許文献２によって知られるものでは、容器内に収容したロール巻きのシート材を引き出して所望の長さに切断する機能を備えたものであり、この提案においても、やはりシートを横断するようにされている。要するに、ロール巻きされたシート材を包装容器から取出す際に所望幅で長手方向に寸法切りすることについては、未だ提案されるに到っていない。
【０００７】
本発明は、このような事情に鑑みてなされたもので、梱包されたロール巻シート材を、その梱包容器から取出す際に所要幅に切断しながら取出すことができる機能を付加できるロール巻シート材の梱包容器を提供することを目的とするものである。
【課題を解決するための手段】
【０００８】
前記目的を達成するために、本発明によるロール巻シート材の梱包容器は、
ロール巻きされたシート材を梱包する容器であって、収容された前記シート材の巻軸線に平行する容器の両側板上端に連接して端部を内側に折り曲げてなるシート押えを備える内蓋をそれぞれ有し、前記両内蓋による閉じ合わせ部でシート材の引出し口が形成され、蓋を閉じた状態で、その上蓋および／または側板の上部のいずれかから収容されたロール巻きされたシートを取出す時に、切断するカッター差込位置を所要の寸法で複数平行して設けることを特徴とするものである（第１発明）。
【０００９】
前記第１発明において、前記容器は、ロール巻シート材の軸線方向の移動を阻止される状態で収容するように設定されて、その移動阻止面がシート切断時の基準となるようにされるのがよい（第２発明）。
【００１０】
また、前記第１発明において、前記カッター差込み位置は、収容されるロール巻シート材の支持基準位置からそのシートの軸方向に沿って、少なくともその一方へ所要寸法で複数位置に設けられるのがよい（第３発明）。また、前記カッター差込み位置には、表面に切断幅を明示する表示が施されているのが好ましい（第４発明）。
【００１１】
さらに、前記第１〜第４発明において、前記容器における上蓋は、前記内蓋が連接する側板以外の側板に基部を連接されて、二つに分かれた内蓋を覆って先端をその内蓋に係合して係止される差込み係止片を端部に備え、ロール巻シート材を引き出す際にその上側を覆って前記シート材の浮き上がりを阻止する状態を保ち得るようにされ、併せて上面所要のカッター差込み位置からカッターを内蓋を通じて差込むことにより引き出すシート材を所要幅寸法に切断できるように構成されているのがよい（第５発明）。
【００１２】
また、前記第１発明，第３〜第５発明において、前記内蓋および／またはロール巻シート材の押え部片に、前記上蓋および／または側板の上部に設けられるカッター差込み位置に対応させて、カッターの受入れを容易にする孔部とこれに連なりカッターの先端部を保持する切込みを備えるカッター差込み孔が設けられているのが好ましい（第６発明）。
【００１３】
また、前記第１発明において、前記容器の対向する二側板には、その底板との連接位置から上側へ所要寸法で断続切目を付して、開梱後に前記切目に沿って切開くと固定脚部となる部位が設けられる構造であるのがよい（第７発明）。
【発明の効果】
【００１４】
第１発明によれば、ロール巻されたシート材の梱包容器としてもっぱら収容物品を保護するために使用してきたものを、内容物を取出す際に所要幅に切断する用具として使用でき、梱包容器が即施工用具として活用できるという効果を奏する。また、施工現場において中身を取出して使用するに伴い廃棄物となっていた梱包容器が施工用具として利用できるため資源の有効利用に繋がることになる。なお、シート材を取出しとともに所要幅に切り分けるのに用いるカッターは、市販の刃物をそのまま用いて容器の外面部に設けられる所望のカッター差込み位置から挿入して保持させ、カッターの刃先部が常時切断するシート材に対して直交位置に保たれるようにすることで、無理なく正確に所要幅で切り分けて取出すことができる。もちろん、カッターを使用しないときはそのカッターを抜き取っておくことで、ロール巻きされたシート材の収容容器としてそのまま取扱える。
【００１５】
また、第２発明を採用することにより、容器内に収容されるロール巻きしたシート材を内側面で軸線方向に保持して梱包されるので、使用に際して設定されている幅寸法に所要のカッター差込み位置から内部に差込まれるカッターにより長手方向にシート材が切られる際、ロール巻部が横方向にずれないで回転支持されて、カッターにより設定された幅に正しく切断することができるという効果を奏する。
【００１６】
また、第３発明によれば、前記第２発明によって収容されるロール巻シート材が容器内でその軸方向の移動を規制されるのを受けて支持基準位置が定められるので、これに伴いシート材の軸方向に沿ってロール幅範囲での切断幅寸法に合わせて複数箇所にカッターの差込位置を決める際、梱包箱の一方の内端位置から設定された所要のカッター差込み位置、例えば６０ｍｍの位置にカッターを差込めば、シート材がその一側端から６０ｍｍの幅で切り分けられて取出せる。また、必要に応じて各種幅寸法の位置にカッター差込箇所を設けることでそれに見合った幅寸法でシート材を切り分けて取出すことができる。なお、前記カッター差込み位置にてその表示に沿ってカッターを容器構成材に差込めば、使用するカッターによって容器構成材を突き抜いて、そのままカッターが保持される。カッターとしては諸刃の薄い厚みの市販品を使用できて、そのカッターを挿入するのに、梱包容器の素材としてダンボールを使用すると、前述のように直接挿入して使用できる。なお、各カッター差込み位置に予め切込みだけを設けるようにすれば、特別な孔加工を要することなくカッターの挿入保持ができるという利点がある。
【００１７】
前記第４発明を採用することにより、カッター差込みの各位置に切断幅の目盛や寸法の表示を箱の製造時に行うことで、別途ものさしを必要とせず切断位置を決めることができる。なお、必要に応じて一連のカッター差込み位置を覆う箇所に、その差込み位置と目盛を表示したテープを貼着すれば、その表示を印刷などで仔細にできること、カッターの頻繁な出し入れなどで前記切込み部の形状が崩れるのを防止すること、などができ、容器の補強と切断幅の表示とが合わせ行えるという利点がある。
【００１８】
前記第５発明の構成を採用することにより、梱包状態では内蓋を押えてこれに連接するシート押えがロール巻シート材の浮き上がりを防止する機能を発揮させて輸送中の中身保護の役目を果たし、開梱後シート材を取出すときには内蓋の浮き上がりを阻止して、その内蓋とシート押えとの連接折り曲げ部を取出しガイドとしてシート材を円滑に取出すことができる。また、切断のためにカッターを差込むときにそのカッターを上蓋と内蓋の差込み箇所で姿勢を維持する働きで、正しく保持できて取出されるシート材の切断を容易にするとともに、ロール巻シート材の巻き径が小さくなってもシート材取出し時に外部に飛び出すことを予防して作業性向上を図っている。
【００１９】
前記第６発明の構成を採用することにより、カッターを差込む際に、基準となるカッター差込み位置より内部で、カッターの受入れを容易にする孔部とこれに連なり差込まれたカッター先端部を固定状態に保持できる切込みとが設けられることにより、カッターの差込みを容易にして、シート材の取出し時にカッター先端部を切込みに導いて刃先を容易にかつ正しい姿勢で保持することができ、殊に側板側からカッターを差込んだ場合、シート材の引出しによって刃部持ち上げられるのを切込み部分で保持して、位置ずれを起こさないで正しい寸法に切断しながら取出すことができるという効果を奏する。
【００２０】
また、前記第７発明の構成を採用することで、ロール巻シート材を容器内から所要幅に切断しながら取出す作業に際して、容器の対向する側板に設けられた切目に沿って固定脚部となる部位を開いて容器底面と一致する状態に展開させ、その各固定脚部を粘着テープなどで作業場の床面上あるいはテーブル上などに固定することにより、シート材の切り分け取出しの作業を容易にすることができ、作業能率を向上させるという効果を奏するのである。
【発明を実施するための最良の形態】
【００２１】
次に、本発明によるロール巻シート材の梱包容器の具体的な実施の形態について、図面を参照しつつ説明する。
【００２２】
図１には本発明によるロール巻シート材の梱包容器の一実施形態の全体外形斜視図が示されている。図２には図１に示す梱包容器の展開図が示され、図３には梱包状態での縦断面図が示されている。
【００２３】
本実施形態のロール巻シート材の梱包容器１は、図２に示されるように、例えばダンボールシートで打抜き形成された一枚のブランクを折り曲げて組立てられたものである。まず、そのブランクについて説明すると、箱体の胴部を形成する４面の側板は、被包装物であるロール巻シート材３０（収納物品）が収められるその軸線方向の長さ寸法に対応する側板２，２′の寸法を、収納物品が軸線方向に移動しない程度の長さ寸法とされ、かつ連接する他方の側板３，３′の長さ（奥行き）寸法がロール外形よりやや大きい長さ寸法で、それら側板２，２′と３，３′の高さが前記ロールを収めて上下方向の移動を防止する押え部片が配され得る空間が得られる寸法にされている。このような側板２と側板３は縦折線ａによって、また側板２′は側板３と縦折線ｂによって、かつ側板３′と縦折線ｃによってそれぞれ横方向に連接されている。また、前記各側板２，２′と３，３′とには、底部４を周知のロックボトムに形成する底フラップ４ａ〜４ｄが横折線ｄ〜ｇによって連接されている。また、側板２の開放側端部には箱として接合組立の際の糊代部片５が折線ｈにて連接されている。
【００２４】
一方、前記箱胴部を形成する各側板のうち、側板２，２′の上側には横折線ｉ，ｊを介してそれぞれ内蓋６，６′が連接されている。これら内蓋６，６′は、その先に前記横折線ｉ，ｊとそれぞれ平行して横折線ｋ，ｍを介して押え部片７，７′が連接されている。また、他の側板３，３′には横折線ｎ，ｏを介して上蓋片８，８′がそれぞれ連接されている。なお、前記上蓋片８，８′の先端にはそれぞれ二つに分かれて差込み部片８ａ，８ａが付されている。また、前記内蓋６，６′にはそれぞれ上蓋片８，８′に付されている差込み部片８ａが二片ともに差込める差込み孔９が所定の位置に設けられている。そのほかに側板２，２′並びに上蓋片８，８′などに機能構造が設けられている、これらについては後述する。
【００２５】
梱包容器１としては、前記ブランクを側板３の側端に連接する糊代部片５を他方の側板３′の自由側端内側に糊付けして接着することにより胴部が形成され、この胴部を形成した状態にて平たく折られた状態で箱製造工場から出荷され、ロール巻シート材を梱包する工場でボトムロックを組立てて箱内部にロール巻シート材３０（収納物品）を収めて梱包できるようにされている。
【００２６】
このような梱包容器１は、前記上蓋片８，８′の上面に、収容物品であるロール巻シート材３０を引き出す方向の適宜位置に一方の側板３の内側面を基準として、収容するロール巻シート材の軸線方向に直交して所要寸法で複数の切断用のカッター差込み位置１１とその表示目盛１１ａが付されている。このカッター差込み位置１１には、好ましくは表示目盛１１ａに対応させて最も使用頻度が高い寸法位置に切込みを複数箇所で設けられるのがよい。
【００２７】
また、前記収容物品のロール巻シート材３０の軸線方向に平行する両側板２，２′には、図１，図２で示されるように、底部と連接する折線ｄ，ｆを基準として中央部で、上側へ適宜寸法で例えば台形の破断線Ｐによって切開くと固定脚部１０，１０となる部位が設けられている。そして、前記内蓋６，６′と押え部片７，７′（本発明におけるシート押えに相当）とは連接する横折線ｋ，ｍ部分で押え部片７，７′を内側に折り曲げると、その押え部片７，７′が箱内部で折り曲げ部から斜め下向きになって、収容するロール巻シート材３０の上側を押える働きをするようにされ、前記折り曲げ部同士の間にシート引出し口１２が形成されるようにされている。したがって、内蓋６（６′）部分と押え部片７（７′）との合計長さ寸法Ｌは、側板３，３′の幅寸法Ｌａよりも長くなるようにされている。また、前記内蓋６，６′に設けられる差込み孔９は、収容するロール巻シート材３０の軸線方向の中央位置より一方にずれた位置で設けられ、シート材切断用のカッター差込み位置１１の表示目盛１１ａが少なくとも中央位置での切断が可能なように片寄せてある。当然、上蓋片８，８′の長さ寸法は、前記差込み孔９に差込み部片８ａが対応するように異なる寸法で形成されている。
【００２８】
本実施形態の梱包容器１は、梱包時、内部に収容されたロール巻シート材３０が容器胴部におけるその軸線方向を側板３，３′間で移動できない状態にされ、上側から内蓋６，６′に連接して内向きに折り曲げられた押え部片７，７′によって浮き上がりを阻止される状態に保たれる。したがって、ロール巻シート材３０は、輸送並びに保管時には安定状態に保たれて梱包容器として機能する。
【００２９】
この梱包容器１では、シート材３１を所望幅のテープ状３１ａに切断しながら取出すことができる機能を備えている。そのシート材３１をテープ状３１ａに切断して取出すには、まず梱包容器１の側板２，２′に設けられている破断線Ｐに沿って固定脚部１０，１０を外側に切開く。すると、図３に示されるように、その固定脚部１０は底部と胴部と境目の折線ｄ、ｆを基準にして開かれるので、そのまま平坦面（例えば作業場の床面あるいは作業テーブルなど）に沿わせて、別途粘着テープ２５によって平坦面に固定する。
【００３０】
このようにして梱包されたままの梱包容器１を固定した後、その容器を開梱して収容されているロール巻されたシート３１の端部をシート引出し口１２から一部を引き出す。一旦所要長さシート材３１の端部を外部に引き出してから、上蓋片８，８′を閉じて、内蓋６，６′の上面と上蓋片８，８′の下面とによって引き出されたシート材３１を挟んだ状態にする。この際、上蓋片８，８′に取付く差込み部片８ａのうち内蓋の差込み孔９に差込めるものは、その差込み孔９に差込んで上蓋片８，８′を固定する。次いで、例えば市販品である薄肉のカッター１５（ＮＴカッター（商品名）のような刃物）の刃１５ａがシート材３１の繰り出し側に向くようにして、上蓋片８，８′に表示されているカッター差込み位置表示目盛１１ａによって所要の目盛位置に設けられた切込みを通じて内側に差込む。
【００３１】
こうすることにより、カッター１５の尖端がシート材３１に刺し込まれてかつ内蓋６（６′）に係合し、カッター１５が上蓋片８（８′）の切込み部と内蓋６（６′）に突き刺した部分とで固定的に保持される。そこで、シート材３１の端部をそのシート３１が内蓋６（６′）上面に沿うようにして手前に引き出すと、固定されているカッター１５の刃１５ａ部によってシート材３１が切断されながら引き出されるのである。この切断操作に際して、シート材３１はロール巻された部分が梱包容器１内で回転され、一方の内蓋（たとえば６′）と押え部片７′との折り曲げ部がシート材のガイド部となってシート引出し口１２から緊張状態で繰り出される。繰り出されるシート材３１は、前述のように内蓋６′と上蓋片８，８′とで挟まれていずれか一方の面に沿って引き出されるので、カッター１５の刃１５ａ部に接する部分では緊張状態で接触して正しく切断されることになる。なお、ロール巻されたシートは容器（箱）内でその巻き軸芯の軸線方向に側板３，３′内面によって移動阻止されているので、切断される幅が一定に保たれる。また、シート材３１を引き出す際の容器とシート材の接触摩擦による抵抗で容器が動こうとするのは、前述の固定脚部１０，１０を平坦面に固定することにより防止されるから、シート材３１の引出しを両手で行っても支障を来たすことがなく、効率よく切断と同時に取出すことができる。こうして引き出した所望幅のシート材（テープ状のシート３１ａ）は、必要長さ位置で横断して作業に供すればよい。なお、余剰になった部分は、上蓋片８，８′および内蓋６，６′を開いて巻戻し、次に必要時まで保管する。
【００３２】
このように本実施形態の梱包容器１によれば、ロール巻されたシート材３１の梱包用としてそのまま使用され、内容物のシート材３１を施工のために取出して使用する際に、この梱包容器１に予め設けられているカッター差込位置１１で、所望幅位置に薄肉の市販のカッター１５を差込んでシート材３１を引き出せば、カッター１５によって所要幅に分断されて取出すことができる施工用具となり、カッター１５を固定した状態でロール巻シート材３０が横振れしない状態で引き出すことができるから正しい寸法で簡単に分断して所要幅のテープ状シート３１ａが得られるのである。したがって、施工用具として使用後は廃棄すればよく、梱包材のみならず用具として兼用することができ効果的な容器である。
【００３３】
以上の説明では基本的な仕様状態を説明したが、カッターの差込位置が施工の都合で変更される場合、あるいは繰返してカッターを抜き差しする場合には、その差込位置が緩んでカッターの保持力が低下することになり、不具合が生じるので、このカッター差込位置を各上蓋片８，８′の二辺に沿って配置しておき、そのいずれかを選択して使用することができるようにすればよい。なお、この場合、シート材の引出し方向を変更する必要が生じ、その場合にはロール巻シート材のシート引出し方向を逆方向にして切断操作するのが好ましい。
【００３４】
また、そのカッター差込位置１１は、上蓋片上に設けるのが作業性からみて好ましいが、必要に応じてロール巻シート材３０の軸線に直交する側板２（２′）の上部に設けるようにして使用することもできる。この場合は、図５に例示するように、カッター１５の先端部を側板２（２′）から内部で押え部片７（７′）を通じてシート材側に突き出させ、その押え部片７（７′）と側板２（２′）とでカッター１５の姿勢を保持するようにするのがよい。このようにするには、押え部片７（７′）に、差込むカッター１５の先端部の受入れを容易にする差込み孔１７を、前記側板２（２′）に設けられるカッター差込み位置１１の切込み１１ａに対応させて設けておくのがよい。この差込み孔１７は、例えば幅狭い二等辺三角形（以下、単に三角形状という）の孔部１７ｂと、その頂点（頂角）から適宜長さで切込み１７aを付した構成にされ、その切込み１７ａがロール巻シート材３０の引出し方向に対応するように設けられるのがよい。このように構成することで、側板２（２′）側から差込まれるカッター１５の先端部が前記押え部片７（７′）に設けられる差込み孔１７に受入れられる際、先に孔部１７ｂに差込まれるので抵抗が少なく、所要寸法カッター１５を差込むとその背部が切込み１７ａに受入れられて位置決めされる。そしてシート材３１（図示せず）を引き出すと刃１５a先によってそのシート材３１が切断されるときの反力でカッター１５が持ち上げられるが、その背部が切込み１７ａに受け止められて固定状態で保持されることになるので、シート材３１の切断操作を容易にする。この際、差込み孔１７は、暗黙状態にあるので、差込むカッター１５の刃１５ａ部が下向くようにして側面の切込み１１ａから真っ直ぐ差込むと、三角形状の差込み孔１７の孔部１７ｂに対応して簡単に挿入され、かつ三角の頂角に連接する切込み１７aに受入れられるので、その切込み１７aによってカッター１５の姿勢が正しく維持されるという効果を奏する。したがって、シート材を引き出して所要幅に切断する際にその幅寸法を所要寸法で正しく切断することができる。
【００３５】
また、上蓋８に設けられるカッター差込み位置１１に対する内蓋側６（６′）に、前記三角形状の差込み孔１７（図６参照）を設けるようにしてもよい。こうすると、上蓋８のカッター差込み位置１１における切込み１１ａを通じて差込まれるカッター１５の先端部が容易に差込むことができ、切刃部（刃１５ａ）が差込み孔１７の頂角に接するようにしておけば、その刃先位置を定めることができて、無理なく正しい姿勢を保ってシート材の切断を行うことができる。なお、梱包容器の側板に形成された固定脚部は、必要に応じて切開くことなく使用することができる。なお、前記差込み孔１７については、必要に応じてその頂角に連なる切込み１７aを省略することも可能である。この場合は三角形状の頂角部分で差込んだカッターの背部で刃部位置を規定することになる。また、その差込み孔１７における孔部１７ｂについては、三角形状に限定されるものではなく連接する切込み１７ａとの関係を維持できれば任意の形状であってもよい。
【００３６】
さらに、前記カッター差込位置１１は、例えば図６に他の実施形態図で示されるように、該当する上蓋片８，８′あるいは側板２，２′の所要箇所にカッター差込位置１１を印刷したテープ１４を貼り付けて明示するようにしてもよい。こうすると、その貼着するテープ１４が補強材となってダンボールなどの梱包材料表面に印刷して表示するよりもコストアップするがカッターの抜き差しが多い場合に有効である。また、前記説明ではそのカッター差込位置を表示することについて深く触れていないが、前記のように印刷による表示のほか、ブランク形成時に切込みを付加するか部分的に圧刻して（いずれも図示せず）カッターの差込みを容易なようにすることができる。また、上蓋については、前述のような二つの上蓋片によるもののほか、一つの上蓋で内蓋を覆うようにすることもできる。さらにまた、図示省略するが、上蓋を別個に形成して容器の上面に被せるような形式とすることができる。この場合はその上蓋に前述の要領でカッター差込位置を設けるようにする。この場合、シート材を引き出すための操作部を上蓋の一側部に設けることで前記作用効果を発揮することができる。
【００３７】
そのほかに、本発明の趣旨に則すれば、上記説明の実施形態に限定されることなく、各部の形状を変更することも本発明の技術的範囲に属することはいうまでもない。
【図面の簡単な説明】
【００３８】
【図１】本発明によるロール巻シート材の梱包容器の一実施形態の全体外形斜視図
【図２】図１に示す梱包容器の展開図
【図３】梱包状態での縦断面図
【図４】施工用具としてシートを切断する場合の態様を示す斜視図
【図５】側板の内側に位置する押え部片にカッターの差込み孔を設けてシート材の切断効果を高める実施形態を表わす図
【図６】カッター差込位置の表示手段の他の実施形態図
【符号の説明】
【００３９】
１    梱包容器
２，２′，３，３′    側板
６，６′    内蓋
７，７′    押え部片
８，８′    上蓋
１０    固定脚部
１１    カッター差込位置
１２    シート引出し口
１４    カッター差込位置を表示したテープ
１５    カッター
１５ａ  カッターの刃
１７    カッター先端部の差込み孔
３０    ロール巻シート材
３１    シート材
【図１】
2005329971.tif 000003
【図２】
2005329971.tif 000004
【図３】
2005329971.tif 000005
【図４】
2005329971.tif 000006
【図５】
2005329971.tif 000007
【図６】
2005329971.tif 000008